(57)【特許請求の範囲】
【請求項１】
剥離層が上・下二層に剥離して剥離後に再接着不可能となる機能性シールであって、基材層と、基材層の裏面に部分的に積層される粘着層と、基材層の表面における粘着層の上方に当たる位置に該粘着層全体を覆うように積層される剥離層と、剥離層が積層された基材層の表面全体に積層固定される保護層とを備えており、剥離層の外縁における全部が粘着層の外縁よりも外側に位置付けられており、粘着層の外縁と該粘着層の外縁よりも外側に位置付けられた剥離層の外縁との間を通る切込みによって剥離層以下の各層が切断されていることを特徴とする機能性シール。
【請求項２】
剥離層が上・下二層に剥離して剥離後に再接着不可能となる機能性シールであって、基材層と、基材層の裏面に部分的に積層される粘着層と、基材層の表面における粘着層の上方に当たる位置に該粘着層全体を覆うように積層される剥離層と、剥離層が積層された基材層の表面全体に積層固定される保護層とを備えており、剥離層の外縁における一部が粘着層の外縁よりも外側に位置付けられていると共に該剥離層の外縁における一部以外の残部が基材層の外縁と一致しており、粘着層の外縁と該粘着層の外縁よりも外側に位置付けられた剥離層の外縁との間を通る切込みによって剥離層以下の各層が切断されていることを特徴とする機能性シール。
【請求項３】
基材層が印刷の施されたものである請求項１又は２のいずれかに記載の機能性シール。
【請求項４】
粘着層の外縁と該粘着層の外縁よりも外側に位置付けられた剥離層の外縁との間を通る切込みが部分的に欠落している請求項１乃至３のいずれかに記載の機能性シール。
【請求項５】
剥離層が上・下二層に剥離して剥離後に再接着不可能となる機能性シールの製造方法であって、
基材層の裏面に部分的に粘着層を形成する粘着層形成工程と、
基材層の表面における粘着層の上方に当たる位置に該粘着層全体を覆うと共に粘着層の外縁よりも外側に位置付けられる外縁を有する剥離層を印刷する剥離層形成工程と、
粘着層の外縁と該粘着層の外縁よりも外側に位置付けられた剥離層の外縁との間を通る切込みによって剥離層以下の各層を切断する切断工程と、
剥離層が印刷された基材層の表面側全体を覆うように保護層を積層固定する保護層形成工程と、
を備えた機能性シールの製造方法。
【発明の詳細な説明】
【技術分野】
【０００１】
本発明は、機能性シール及びその製造方法に関するものである。
【背景技術】
【０００２】
周知のとおり、例えば、洗剤や調味料などの商品は、容器本体と該容器本体の開口を閉じる蓋体とから構成されており、店頭に陳列された商品に対して悪意のある者が容器本体から蓋体を取り外して毒物を混入させた場合であっても、再度容器本体に蓋体を取り付ければ、容器本体に対する蓋体の開封の有無が判別できなくなり、後々問題に発展することがあった。このため、容器本体に対する蓋体の開封の有無を判別することができる機能性シールが多数開発されている。
【０００３】
後出特許文献１には、蓋体と容器本体とからなる被接着体に接着されるシールであって、蓋体用と容器本体用とに分離して形成される下層シールと、この下層シールの表面を覆うように積層圧着される一枚の上層シールとで多機能シールを構成し、分離された下層シールの表面に上層シールを再圧着不可能な状態で圧着し、この上層シールの上縁側にＰＯＰ表示欄を突出状に形成するとともに、下層シールに能書き表示欄を形成し、下層シールの裏面には被接着体に接着された際に下層シールの剥離を困難にする粘着層を形成したことを特徴とする多機能シールが開示されている。
【先行技術文献】
【特許文献】
【０００４】
【特許文献１】実用新案登録第３１２７０１２号公報
【発明の概要】
【発明が解決しようとする課題】
【０００５】
ところが、前記特許文献１に開示された多機能シールにおいては、商品に貼り付けた際に、下層シール全体が商品に貼り付いた状態となる一方、上層シール全体が商品に貼り付いていない状態となるため、不用意に上層シールに対して商品から剥がれる方向に外力が働くと、商品から上層シールのみが捲れ上った状態となって該上層シールが下層シールから容易に剥がれてしまうという問題点があった。
【０００６】
また、前記特許文献１に開示された多機能シールにおいては、上層シールと下層シールとが圧着ニスによって接着されているため、製造工程として上層シールと下層シールとを圧着させる工程が必要となって生産効率が悪いという問題点があり、さらに、下層シールが蓋体用の部分と容器本体用の部分とに分かれているため、両下層シールの位置合わせてを容易に行うため、一枚のシールから両下層シールを切り出す方法を採用すると、一枚のシールから両下層シールを切り出した後に該両下層シールに該当しない部分を取り除く作業が必要となって生産効率が低下するという問題点があった。
【０００７】
そこで、本発明者は、剥離層が不用意に剥離せず、また、効率的に生産することができる機能性シール及びその製造方法を得ることを技術的課題として、その具現化をはかるべく、試行錯誤的に試作・実験を重ねた結果、剥離層が上・下二層に剥離して剥離後に再接着不可能となる機能性シールにおいて、基材層と、基材層の裏面に部分的に積層される粘着層と、基材層の表面における粘着層の上方に当たる位置に該粘着層全体を覆うように積層される剥離層と、剥離層が積層された基材層の表面全体に積層固定される保護層とを備えるように構成し、剥離層の外縁における全部を粘着層の外縁よりも外側に位置付け、或いは、剥離層の外縁における一部を粘着層の外縁よりも外側に位置付けると共に該剥離層の外縁における一部以外の残部を基材層の外縁と一致させ、粘着層の外縁と該粘着層の外縁よりも外側に位置付けられた剥離層の外縁との間を通る切込みによって剥離層以下の各層が切断すれば、剥離層が不用意に剥離せず、また、効率的に生産することができる機能性シールを得ることができるという刮目すべき知見を得、前記技術的課題を達成したものである。
【課題を解決するための手段】
【０００８】
前記技術的課題は、次の通りの本発明によって解決できる。
【０００９】
すなわち、本発明に係る機能性シールは、剥離層が上・下二層に剥離して剥離後に再接着不可能となる機能性シールであって、基材層と、基材層の裏面に部分的に積層される粘着層と、基材層の表面における粘着層の上方に当たる位置に該粘着層全体を覆うように積層される剥離層と、剥離層が積層された基材層の表面全体に積層固定される保護層とを備えており、剥離層の外縁における全部が粘着層の外縁よりも外側に位置付けられており、粘着層の外縁と該粘着層の外縁よりも外側に位置付けられた剥離層の外縁との間を通る切込みによって剥離層以下の各層が切断されているものである。
【００１０】
また、本発明に係る機能性シールは、剥離層が上・下二層に剥離して剥離後に再接着不可能となる機能性シールであって、基材層と、基材層の裏面に部分的に積層される粘着層と、基材層の表面における粘着層の上方に当たる位置に該粘着層全体を覆うように積層される剥離層と、剥離層が積層された基材層の表面全体に積層固定される保護層とを備えており、剥離層の外縁における一部が粘着層の外縁よりも外側に位置付けられていると共に該剥離層の外縁における一部以外の残部が基材層の外縁と一致しており、粘着層の外縁と該粘着層の外縁よりも外側に位置付けられた剥離層の外縁との間を通る切込みによって剥離層以下の各層が切断されているものである。
【００１１】
また、本発明は、前記いずれかの機能性シールにおいて、基材層が印刷の施されたものである。
【００１２】
また、本発明は、前記いずれかの機能性シールにおいて、粘着層の外縁と該粘着層の外縁よりも外側に位置付けられた剥離層の外縁との間を通る切込みが部分的に欠落しているものである。
【００１３】
さらに、本発明に係る機能性シールの製造方法は、剥離層が上・下二層に剥離して剥離後に再接着不可能となる機能性シールの製造方法であって、基材層の裏面に部分的に粘着層を形成する粘着層形成工程と、基材層の表面における粘着層の上方に当たる位置に該粘着層全体を覆うと共に粘着層の外縁よりも外側に位置付けられる外縁を有する剥離層を印刷する剥離層形成工程と、粘着層の外縁と該粘着層の外縁よりも外側に位置付けられた剥離層の外縁との間を通る切込みによって剥離層以下の各層を切断する切断工程と、剥離層が印刷された基材層の表面側全体を覆うように保護層を積層固定する保護層形成工程と、を備えたものである。
【発明の効果】
【００１４】
本発明によれば、剥離層の外縁における全部を粘着層の外縁よりも外側に位置付け、或いは、剥離層の外縁における一部を粘着層の外縁よりも外側に位置付けると共に該剥離層の外縁における一部以外の残部を基材層の外縁と一致させ、かつ、粘着層の外縁と該粘着層の外縁よりも外側に位置付けられた剥離層の外縁との間を通る切込みによって剥離層以下の各層を切断することにより、機能性シールを構成する各層を、切込みの内側に位置する付与部と切込みの外側に位置する剥奪部とに分断し、かつ、剥奪部に対して付与部が剥離層を介して仮接着された状態としたので、貼着対象物に貼り付けられた機能性シールの一端が捲れ上った際に、貼着対象物に対して剥奪部のみならず、付与部の粘着層が形成されていない外縁部が捲れ上るため、付与部から剥奪部が容易に剥離することがない。
【００１５】
また、本発明によれば、機能性シールをシールの製造において一般的に用いられる印刷加工とカット加工との組み合わせによって形成することができるため、特殊な機械を使用することなく、一般的な機械を使用して特殊な加工工程を加えることなく効率的に製造することができる。
【００１６】
従って、本発明の産業上利用性は非常に高いといえる。
【図面の簡単な説明】
【００１７】
【図１】実施の形態１に係る機能性シールを示した断面図である。
【図２】図１に示す機能性シールを示した平面図である。
【図３】図１に示す機能性シールの使用方法を示した説明図である。
【図４】図１に示す機能性シールの製造方法を示した断面図である。
【図５】実施の形態２に係る機能性シールを示した斜視図である。
【図６】図５に示す機能性シールを示した平面図である。
【図７】実施の形態３に係る機能性シールにおける切込みの形状を示した平面図である。
【図８】実施の形態４に係る機能性シールを示した断面図である。
【図９】図８に示す機能性シールの使用方法を示した説明図である。
【発明を実施するための形態】
【００１８】
以下、本発明の実施の形態を説明する。
【００１９】
実施の形態１．
【００２０】
本実施の形態に係る機能性シール１は、図１に示すように、基材層２と、基材層２の裏面に部分的に積層される粘着層３と、基材層２の裏面における粘着層３が積層された部分以外の部分に積層される非粘着層４と、基材層２の表面における粘着層３の上方に当たる位置に積層される剥離層５と、剥離層５が積層された基材層２の表面全体を覆うように粘着固定層６を介して積層される保護層７とから構成されており、機能性シール１を構成する各層はいずれも円形状に形成されている（図２参照）。そして、機能性シール１は、剥離シート８に粘着層３を仮止めした状態で保存される。
【００２１】
剥離層５は、図２に示すように、粘着層３全体を覆うことができるように粘着層３の直径よりも大径に形成されており、かつ、剥離層５の外縁における全部が粘着層３の外縁よりも外側に位置付けられるように形成されている。そして、粘着層３の外縁と剥離層５の外縁との間を通って該粘着層３を周回するように走る切込み９によって剥離層５以下の各層、具体的には、剥離層５、基材層２及び非粘着層４が切断されている。よって、機能性シール１を構成する各層は、切込み９の内側に位置する付与部１０と切込み９の外側に位置する剥奪部１１とに分断され、かつ、剥奪部１１に対して付与部１０が剥離層５を介して仮接着された状態となっている。
【００２２】
次に、機能性シール１を構成する各層を詳細に説明する。
【００２３】
基材層２は、ステッカー、ラベル又はシールなどの基材として一般的に使用される紙又はフィルムなどを使用すればよく、例えば、フィルムとしては、ポリエステルフィルム、ポリオレフィンフィルム、ポリプロピレンフィルムなどを使用すればよい。また、基材層２に使用される紙又はフィルムには、表面又は裏面のいずれか一方又は双方に印刷によって文字・図柄・模様などを表示してもよい。
【００２４】
粘着層３は、基材層２の裏面に粘着剤を印刷することによって形成されている。なお、粘着剤としては、例えば、アクリル系粘着剤やゴム系粘着剤などを使用すればよい。
【００２５】
なお、基材層２及び粘着層３としては、基材層２に対して粘着層３を積層させた状態で市販されている材料を使用することもできる。
【００２６】
非粘着層４は、基材層２の裏面に積層された粘着層３に糊殺剤を重ねて印刷することによって形成されている。なお、糊殺剤としては、粘着層３上に印刷可能であり、かつ、粘着層３の粘着力を封じることができるものであればよく、例えば、透明又は着色のインキなどを使用すればよい。但し、粘着層３上に印刷した直後に硬化させることができるインキが好ましく、例えば、紫外線硬化型インキを使用することが好ましい。
【００２７】
剥離層５は、上・下二層構造になっており、保護層７から基材層２を剥離させた際に、保護層７側へ移行する上層１２と基材層２側へ移行する下層１３との間で剥離し、剥離後は両層１２，１３間で再接着不可能となる。なお、保護層７から基材層２を剥離させた際に、保護層７側へ上層１２が移行し、かつ、基材層２側へ下層１３が移行するように、上層１２と下層１３との間の接着力は、上層１２の保護層７に対する接着力よりも弱く調整し、かつ、下層１３の基材層２に対する接着力よりも弱く調整する必要がある。
【００２８】
剥離層５を構成する下層１３は、基材層２の表面に剥離剤を配合したインキを印刷して固化させることによって形成されている。例えば、剥離剤としては、シリコンやワックスなどを使用すればよい。また、剥離層５を構成する上層１２は、下層１３の表面に透明又は着色のインキを印刷して固化させることによって形成されている。なお、インキとしては、例えば、溶剤型インキや紫外線硬化型インキを使用することができるが、剥離性を有する下層１３に瞬時に硬化（固化）させる点で紫外線硬化型インキがより好ましい。
【００２９】
粘着固定層６は、保護層７の裏面全体に粘着剤を印刷することによって形成されている。なお、粘着剤としては、例えば、アクリル系粘着剤やゴム系粘着剤などを使用すればよい。
【００３０】
保護層７は、ラミネートフィルムとして一般的に使用されているフィルムを使用すればよい。なお、当該フィルムは、透明であってもよく、マット加工、着色加工、蒸着加工などの加工が施されたものであってもよい。さらに、保護層７に使用されるフィルムには、表面又は裏面のいずれか一方又は双方に印刷によって文字・図柄・模様などを表示してもよい。
【００３１】
次に、本実施の形態に係る機能性シール１の使用方法を説明する。
【００３２】
先ず、貼着対象物１４に機能性シール１を貼り付ける際には、図３の（ａ）に示すように、機能性シール１を剥離シート８から剥がし、図３の（ｂ）に示すように、機能性シール１の粘着層３を貼着対象物１４に貼り付ける。
【００３３】
次に、貼着対象物１４に貼り付けた機能性シール１を剥がす際には、図３の（ｃ）に示すように、機能性シール１の一端を僅かに持ち上げると、剥奪部１１の一端側が持ち上がると共に、付与部１０の粘着層３が形成されていない外縁が持ち上がる。続いて、図３の（ｄ）に示すように、機能性シール１の一端を更に高く持ち上げると、剥離層５が上・下二層間で剥離し、図３の（ｅ）に示すように、剥奪部１１を貼着対象物１４から完全に剥がすことにより、貼着対象物１４に付与部１０のみが残存した状態となる。
【００３４】
次に、本実施の形態に係る機能性シール１の製造方法を説明する。
【００３５】
先ず、図４の（ａ）に示すように、基材層２の裏面全体に粘着剤を印刷し、続いて、基材層２の裏面に部分的に粘着剤が残るように糊殺剤を印刷することにより、基材層２の裏面に部分的に粘着層３を形成すると共に、粘着層３以外の部分に非粘着層４を形成する（粘着層形成工程）。なお、図４の（ｂ）に示すように、基材層２の裏面に形成された粘着層３は剥離シート８に貼り付けられる。次に、図４の（ｃ）に示すように、基材層２の表面における粘着層３の上方に当たる位置に剥離剤を配合したインキを印刷して剥離層５を構成する下層１３を形成し、続いて、剥離層を構成する下層１３全体に重ね合わせるようにインキを印刷して剥離層５を構成する上層１２を形成する（剥離層形成工程）。なお、基材層２の表面に剥離層５を構成する下層１３を形成する際には、平面視した際に、剥離層５を構成する下層１３が粘着層３全体を覆うと共に、剥離層５を構成する下層１３の外縁が粘着層３の外縁よりも外側に位置するように形成する。次に、図４の（ｄ）に示すように、粘着層３の外縁と該粘着層３の外縁よりも外側に位置する剥離層５の外縁との間を通るように切込み９を形成し、当該切込み９によって剥離シート８の上方に位置する各層、具体的には、剥離層５以下の各層である剥離層５、基材層２及び非粘着層４を切断する（切断工程）。最後に、図４の（ｅ）に示すように、前記各工程で形成された積層体１５を該積層体１５が仮接着された剥離シート８を残して所定形状に切り取ることによって機能性シール１を形成することができる。
【００３６】
本実施の形態においては、保護層７と基材層２とを粘着固定層６を介して粘着しているが、保護層７を印刷によって形成することにより、基材層２に直接固定させるように形成してもよい。この場合には、保護層７は、ホットメルト樹脂の塗布によって形成することができ、或いは、熱圧着フィルムの熱圧着によって形成することができる。
【００３７】
実施の形態２．
【００３８】
本実施の形態は、前記実施の形態１に係る機能性シールの変形例であり、図５及び図６において図１〜図４と同一符号は同一又は相当部分を示している。
【００３９】
本実施の形態に係る機能性シール１は、図５に示すように、矩形状に形成されている。そして、剥離層５が、粘着層３全体を覆うことができるように形成されており、かつ、剥離層５を構成する四辺のうちで長さ方向に伸びる二辺の外縁が基材層２の外縁と一致していると共に、剥離層５を構成する四辺のうちで幅方向に伸びる二辺の外縁が粘着層３を構成する四辺のうちで幅方向に伸びる二辺の外縁よりも外側に位置付けられるように形成されている。そして、粘着層３を構成する幅方向に伸びる二辺の外縁と剥離層５を構成する幅方向に伸びる二辺の外縁との間を通って走る切込み９によって剥離層５以下の各層が切断されている。よって、機能性シール１を構成する各層は、切込み９と機能性シート１の外縁を構成する基材層２の外縁とで囲まれる付与部１０と該付与部１０を除いた剥奪部１１とに分断され、かつ、剥奪部１１に対して付与部１０が剥離層５を介して仮接着された状態となっている。
【００４０】
実施の形態３．
【００４１】
本実施の形態は、前記実施の形態１に係る機能性シールにおける切込みの変形例であり、図７において図１〜図４と同一符号は同一又は相当部分を示している。なお、図７においては、保護層及び粘着固定層は記載されていない。
【００４２】
本実施の形態に係る切込み９は、粘着層３を周回するように走っていると共に、等間隔に配置された４つの欠落部１６が設けられている。
【００４３】
本実施の形態によれば、切込み９に欠落部１６を設けることにより、剥奪部１１と付与部１０との切込み９を挟んで隣接する各層が部分的に繋がった状態となるため、付与部１０から剥奪部１１を剥がし取る際に、両部１０，１１の繋がった各層を引きちぎる必要がある。これにより、切込み９に設ける欠落部１６の長さや数を調整することによって付与部１０から剥奪部１１を剥がし取る際に必要となる剥離力の強弱を調整することができる。
【００４４】
実施の形態４．
【００４５】
本実施の形態は、前記実施の形態１に係る機能性シールを利用した封緘シールである。図８及び図９において図１〜図４と同一符号は同一又は相当部分を示している。
【００４６】
本実施の形態に係る封緘シール１７は、図８に示すように、基材層２と、基材層２の裏面に部分的に積層される一対の粘着層１８，１９と、基材層２の裏面における一対の粘着層１８，１９が積層された部分以外の部分に積層される非粘着層４と、基材層２の表面における一方の粘着層１８の上方に当たる位置に積層される剥離層５と、剥離層５が積層された基材層２の表面全体を覆うように粘着固定層６を介して積層される保護層７とから構成されている。そして、封緘シール１７は、剥離シート８に粘着層１８，１９を仮止めした状態で保存される。
【００４７】
本実施の形態に係る封緘シールは、図９に示すように、本体２０と該本体２１の開口を閉じる蓋体２１とからなる容器２２の該本体２０と該蓋体２１とに架け渡すように配置し、封緘シール１７の一方の粘着部１８を蓋体２１に貼り付けると共に、他方の粘着部１９を本体２０に貼り付ける。これにより、容器２２の蓋体２１を開封しようとすると、封緘シール１７の剥離層５を剥離する必要があり、剥離層５は一度剥離すると再接着不可能となるため、容器の開封の有無を容易に確認することができる。
【００４８】
なお、前記各実施の形態においては、基材層の裏面全体に粘着剤を印刷し、該粘着剤を部分的に糊殺しすることによって粘着層を形成しているが、基材層の裏面に対して部分的に粘着剤を印刷して粘着層を形成してもよい。
【００４９】
本発明においては、基材層の上方に位置する保護層、粘着固定層及び剥離層を透明材料によって形成すれば、機能性シールの剥離部を剥離する前であっても付与部の基材層に印刷された文字、図柄などが目視することができるようになる。
【産業上の利用可能性】
【００５０】
なお、本発明に係る機能性シールは、剥離層の再接着不可能という機能を利用して前記実施の形態４のように封緘シールとして使用することができるが、これに限らず、例えば、保護層及び剥離層を不透明な材料で形成することにより、基材層に所定の情報を表示し、剥離部を剥離しないと当該情報が読みとることができない特殊シールなど工夫によって様々なシールに応用することができる。
【符号の説明】
【００５１】
１  機能性シール
２  基材層
３  粘着層
４  非粘着層
５  剥離層
６  粘着固定層
７  保護層
８  剥離シート
９  切込み
１０  付与部
１１  剥奪部
１２  上層
１３  下層
１４  貼着対象物
１５  積層体
１６  欠落部
１７  封緘シール
１８  一方の粘着層
１９  他方の粘着層
２０  本体
２１  蓋体
２２  容器
【図１】
0005467551.tif 000002
【図２】
0005467551.tif 000003
【図３】
0005467551.tif 000004
【図４】
0005467551.tif 000005
【図５】
0005467551.tif 000006
【図６】
0005467551.tif 000007
【図７】
0005467551.tif 000008
【図８】
0005467551.tif 000009
【図９】
0005467551.tif 000010